(57)【要約】【課題】ラックを冷却するためのグリル風量を送風するために、最適なグリル開口率を算出し、効率的にラックを冷却することを課題とする。【解決手段】パネル開口率算出装置１は、パネルを通って送風されるラックを冷却するための冷却風について、ラックの冷却に必要な風量である目標パネル風量情報を算出する。また、パネル開口率算出装置１は、所定のパネル開口率を設定し、所定のパネル開口率情報を用いてシミュレーションを行い、シミュレーションの結果として、パネルからラックに送風される風量であるシミュレーションパネル風量情報を算出する。そして、パネル開口率算出装置１は、目標パネル風量情報と、シミュレーションパネル風量情報との差分を用いて、目標パネル開口率を算出する。【選択図】        図１
2010270974.tif 000002
【特許請求の範囲】
【請求項１】
パネルを通って送風されるラックを冷却するための冷却風について、当該ラックの冷却に必要な風量である目標パネル風量情報を算出する目標パネル風量算出部と、
所定のパネル開口率を設定し、当該所定のパネル開口率情報を用いてシミュレーションを実行することにより、パネルからラックに送風される風量であるシミュレーションパネル風量情報を算出するシミュレーション部と、
前記目標パネル風量算出部によって算出された前記目標パネル風量情報と、前記シミュレーション部によって算出された前記シミュレーションパネル風量情報との差分を用いて、目標パネル開口率を算出するパネル開口率算出部と、
を備えることを特徴とするパネル開口率算出装置。
【請求項２】
前記目標パネル風量算出部によって算出された前記目標パネル風量情報と、前記シミュレーション部によって算出された前記シミュレーションパネル風量情報との差分が所定の閾値以上であるか判定する風量判定部と、
前記風量判定部によって算出された前記目標パネル風量情報と前記シミュレーションパネル風量情報との差分が所定の閾値以上であると判定された場合には、前記目標パネル風量情報と前記シミュレーションパネル風量情報とを用いて、次のシミュレーションに設定されるパネル開口率情報を算出する設定パネル開口率算出部とをさらに備え、
前記シミュレーション部は、前記設定パネル開口率算出部によって算出された前記パネル開口率を用いてシミュレーションを改めて行い、当該シミュレーションの結果でパネルからラックに送風される風量であるシミュレーションパネル風量情報を算出し、
前記パネル開口率算出部は、前記風量判定部によって算出された前記目標パネル風量情報と前記シミュレーションパネル風量情報との差分が所定の閾値未満であると判定された場合には、前記シミュレーション部によって設定されたパネル開口率情報を目標開口率情報として算出することを特徴とする請求項１に記載のパネル開口率算出装置。
【請求項３】
前記目標パネル風量算出部は、ラックの配置に関する情報、パネルの配置に関する情報、ラックごとの風量に関する情報、ラックごとの発熱量に関する情報、ラックの総風量に関する情報、ラックの総発熱量に関する情報、または空調機の総風量に関する情報を用いて、目標パネル風量を算出することを特徴とする請求項１または２に記載のパネル開口率算出装置。
【請求項４】
前記目標パネル風量算出部は、ラック幅に対するパネル幅の割合に応じて、前記目標パネル風量を算出することを特徴とする請求項１〜３のいずれか一つに記載のパネル開口率算出装置。
【請求項５】
前記設定パネル開口率算出部は、前記パネルの圧力損失を用いて、次回のシミュレーションに設定されるパネル開口率を算出することを特徴とする請求項２〜４のいずれか一つに記載のパネル開口率算出装置。
【請求項６】
パネルを通って送風されるラックを冷却するための冷却風について、当該ラックの冷却に必要な風量である目標パネル風量情報を算出する目標パネル風量算出ステップと、
所定のパネル開口率を設定し、当該所定のパネル開口率情報を用いてシミュレーションを実行することにより、パネルからラックに送風される風量であるシミュレーションパネル風量情報を算出するシミュレーションステップと、
前記目標パネル風量算出ステップによって算出された前記目標パネル風量情報と、前記シミュレーションステップによって算出された前記シミュレーションパネル風量情報との差分を用いて、目標パネル開口率を算出するパネル開口率算出ステップと、
を含んだことを特徴とするパネル開口率算出方法。
【請求項７】
パネルを通って送風されるラックを冷却するための冷却風について、当該ラックの冷却に必要な風量である目標パネル風量情報を算出する目標パネル風量算出手順と、
所定のパネル開口率を設定し、当該所定のパネル開口率情報を用いてシミュレーションを実行することにより、パネルからラックに送風される風量であるシミュレーションパネル風量情報を算出するシミュレーション手順と、
前記目標パネル風量算出手順によって算出された前記目標パネル風量情報と、前記シミュレーション手順によって算出された前記シミュレーションパネル風量情報との差分を用いて、目標パネル開口率を算出するパネル開口率算出手順と、
をコンピュータに実行させることを特徴とするパネル開口率算出プログラム。
【発明の詳細な説明】
【技術分野】
【０００１】
本発明は、パネルの開口率を算出するパネル開口率算出装置、パネル開口率算出方法およびパネル開口率算出プログラムに関する。
【背景技術】
【０００２】
従来より、床下フロアからパネルを通過してＩＴ機器搭載のサーバラックに冷気供給するデータセンタが利用されている。このようなデータセンタにおいて、ラックに搭載されているＩＴ機器の高発熱密度化に伴い、サーバラックあたりの発熱量は増加する傾向にあり、ＩＴ機器の排気回り込みによるホットスポットの発生等が問題となっている。
【０００３】
ここで、データセンタにおける風の流れについて図１７を用いて説明する。同図に示すように、データセンタにおける風の流れとして、空調機から吹き出してラックに吸い込まれる流れ（図１７の（１）参照）と、空調機から吹き出して空調機が吸い込む流れ（図１７の（２）参照）と、ラックから排気されて空調機が吸い込む流れ（図１７の（３）参照）と、ラックから排気されてラックが吸い込む流れ（図１７の（４）参照）がある。
【０００４】
ラックから排気されてラックが吸い込む流路の風量が多い場合に、ＩＴ機器の排気回り込みによるホットスポットが発生する。このようなホットスポットを防止する方法として、空調機から送風される風の温度を低下する方法、または設備を追加する方法が知られている（特許文献１〜３参照）。例えば、空調機から送風される風の温度を低下させるために空調システムを追加して部屋全体の温度を低下させる方法、またはラック列横部やラック上部にパーティションを追加することで、排気回り込みによるホットスポットを防止している。
【先行技術文献】
【特許文献】
【０００５】
【特許文献１】特開２００８−１８５２７１号公報
【特許文献２】特開２００６−０４６６７１号公報
【特許文献３】特開２００２−６９９２号公報
【発明の概要】
【発明が解決しようとする課題】
【０００６】
ところで、上記した空調機から送風される風の温度を下げる方法、または設備を追加する方法では、風の温度を下げるので電力の消費が大きく、また設備を追加するので設備費がかかる結果、効率的にラックを冷却することができないという課題があった。
【０００７】
そこで、この発明は、上述した従来技術の課題を解決するためになされたものであり、電力の消費を大きくすることなく、また設備を追加することなく、ラックの冷却に必要な風量を適切に供給し、効率的にラックを冷却することを目的とする。
【課題を解決するための手段】
【０００８】
本願の開示するパネル開口率算出装置は、一つの態様において、パネルを通って送風されるラックを冷却するための冷却風について、ラックの冷却に必要な風量である目標パネル風量情報を算出する。また、所定のパネル開口率を設定し、所定のパネル開口率情報を用いてシミュレーションを行い、シミュレーションの結果として、パネルからラックに送風される風量であるシミュレーションパネル風量情報を算出する。そして、目標パネル風量情報と、シミュレーションパネル風量情報との差分を用いて、目標パネル開口率を算出する。
【発明の効果】
【０００９】
開示の装置は、最適なグリル開口率を算出し、グリル配置、グリル開口率等のレイアウトを最適化することで、ラックに対して適切に冷却風を分配する結果、ラックの冷却に必要な風量を適切に供給し、効率的にラックを冷却することができるという効果を奏する。
【図面の簡単な説明】
【００１０】
【図１】図１は、実施例１に係るパネル開口率算出装置の構成を示すブロック図である。
【図２】図２は、実施例２に係るパネル開口率算出装置の構成を示すブロック図である。
【図３】図３は、ラックおよびグリルの配置例を示す図である。
【図４】図４は、ラックとグリルの位置関係を説明するための図である。
【図５】図５は、ラックとグリルの位置関係を説明するための図である。
【図６】図６は、ラックとグリルの位置関係を説明するための図である。
【図７】図７は、グリル風量の算出例を説明するための図である。
【図８】図８は、各グリルの目標風量の例を示す図である。
【図９】図９は、グリル開口率を変更してシミュレーションを繰り返し行い、シミュレーション風量を目標グリル風量に近づける様子を示す図である。
【図１０】図１０は、実施例２に係るパネル開口率算出装置の全体の処理手順を説明するためのフローチャートである。
【図１１】図１１は、実施例２に係るパネル開口率算出装置の目標グリル算出処理の手順を説明するためのフローチャートである。
【図１２】図１２、実施例２に係るパネル開口率算出装置の目標グリル風量達成判定処理の手順を説明するためのフローチャートである。
【図１３】図１３は、グリル開口率の改善を行っていない場合のラックの温度を示す図である。
【図１４】図１４は、グリル開口率の改善を行っている場合のラックの温度を示す図である。
【図１５】図１５は、グリル開口率の改善を行っている場合とグリル開口率の改善を行っていない場合とのラック吸気温度の比較を示す図である。
【図１６】図１６は、パネル開口率算出プログラムを実行するコンピュータを示す図である。
【図１７】図１７は、空調システムにおける風の流れを説明するための図である。
【発明を実施するための形態】
【００１１】
以下に添付図面を参照して、この発明に係るパネル開口率算出装置、パネル開口率算出方法およびパネル開口率算出プログラムの実施例を詳細に説明する。
【実施例１】
【００１２】
以下の実施例では、実施例１に係るパネル開口率算出装置の構成および処理を説明し、最後に実施例１による効果を説明する。
【００１３】
まず最初に、図１を用いて、実施例１に係るパネル開口率算出装置の構成を説明する。図１は、実施例１に係るパネル開口率算出装置の構成を示すブロック図である。
【００１４】
実施例１のパネル開口率算出装置１は、ラックを冷却するための冷却風を供給するためのパネルの開口率を算出するが、特に、目標パネル風量算出部２、シミュレーション部３、パネル開口率算出部４を有する。
【００１５】
目標パネル風量算出部２は、パネルを通って送風されるラックを冷却するための冷却風について、ラックの冷却に必要な風量である目標パネル風量情報を算出する。
【００１６】
シミュレーション部３は、所定のパネル開口率を設定し、所定のパネル開口率情報を用いてシミュレーションを行い、シミュレーションの結果として、パネルからラックに送風される風量であるシミュレーションパネル風量情報を算出する。
【００１７】
パネル開口率算出部４は、目標パネル風量算出部２によって算出された目標パネル風量情報と、シミュレーション部３によって算出されたシミュレーションパネル風量情報との差分を用いて、目標パネル開口率を算出する。
【００１８】
このように、パネル開口率算出装置１は、パネルを通って送風されるラックを冷却するための冷却風について、ラックの冷却に必要な風量である目標パネル風量情報を算出する。また、パネル開口率算出装置１は、所定のパネル開口率を設定し、所定のパネル開口率情報を用いてシミュレーションを行い、シミュレーションの結果として、パネルからラックに送風される風量であるシミュレーションパネル風量情報を算出する。そして、パネル開口率算出装置１は、目標パネル風量情報と、シミュレーションパネル風量情報との差分を用いて、目標パネル開口率を算出する。
【００１９】
このため、パネル開口率算出装置１は、最適なパネル開口率を算出し、パネル配置やパネル開口率等のレイアウトを最適化することで、ラックに対して適切に冷却風を供給する結果、効率的にラックを冷却することが可能である。
【実施例２】
【００２０】
以下の実施例では、実施例２に係るパネル開口率算出装置の構成および処理の流れを順に説明し、最後に実施例２による効果を説明する。なお、以下の実施例２では、空調機からラックへ冷却風を供給するための床下フロアを有するデータセンタにおいて、ラック冷却に必要な風量である目標グリル風量をグリルごとに算出する例について説明する。
【００２１】
［パネル開口率算出装置の構成］
まず最初に、図２を用いて、パネル開口率算出装置１０の構成を説明する。図２は、実施例２に係るパネル開口率算出装置１０の構成を示すブロック図である。同図に示すように、このパネル開口率算出装置１０は、入力部１１、出力部１２、制御部１３、記憶部１４を有する。以下にこれらの各部の処理を説明する。
【００２２】
入力部１１は、ラックの配置情報、グリルの配置情報、ラック毎の風量情報、ラック毎の発熱量情報、ラックの総風量情報、ラックの総発熱量情報、空調機の総風量情報などを入力するものであり、キーボードやマウス、マイクなどを有する。また、出力部１２は、グリル開口率を出力する。
【００２３】
記憶部１４は、制御部１３による各種処理に必要なデータおよびプログラムを格納するが、特に、初期グリル開口率記憶部１４ａを有する。初期グリル開口率記憶部１４ａは、一回目のシミュレーションに用いられる所定のグリル開口率を初期値として記憶する。
【００２４】
制御部１３は、各種の処理手順などを規定したプログラムおよび所要データを格納するための内部メモリを有し、これらによって種々の処理を実行するが、特に、目標パネル風量算出部１３ａ、シミュレーション部１３ｂ、風量判定部１３ｃ、設定パネル開口率算出部１３ｄ、パネル開口率算出部１３ｅを有する。
【００２５】
目標パネル風量算出部１３ａは、グリルを通って送風されるラックを冷却するための冷却風について、ラックの冷却に必要な風量である目標グリル風量を算出する。具体的には、目標パネル風量算出部１３ａは、ラックの配置情報、グリルの配置情報、ラック毎の風量情報、ラック毎の発熱量情報、ラックの総風量情報、ラックの総発熱量情報（または空調機の総風量情報）などが入力部１１から入力される。そして、目標パネル風量算出部１３ａは、入力された情報を用いて、目標グリル風量を算出する。
【００２６】
ここで、目標グリル風量の算出処理について、図３〜図８を用いて具体的に説明する。まず、目標パネル風量算出部１３ａは、各グリルについて、何個のラックに対応するかをそれぞれ計算する。例えば、目標パネル風量算出部１３ａは、ラックの座標を示すラック座標ａ［ｊ，ｌ］と、グリルの座標を示すグリル座標ｂ［ｉ，ｌ］と、各ラックの風量を示すラック風量ｘ［ｉ，ｌ］とを設定する。
【００２７】
例えば、図３に例示するデータセンタの例では、ｌ列のラックの座標を示すラック座標として、ａ［１，ｌ］、ａ［２，ｌ］、ａ［３，ｌ］・・・が設定され、ｌ列のグリルの座標を示すグリル座標として、ｂ［１，ｌ］、ｂ［２，ｌ］、ｂ［３，ｌ］・・・ｂ［６，ｌ］が設定されている。図３は、ラックおよびグリルの配置例を示す図である。なお、図３は、空調機から送られた風が床下フロアからグリルを通過してラックに冷気供給するデータセンタの上面図である。
【００２８】
そして、目標パネル風量算出部１３ａは、ｉに対してグリル座標ｂ［ｉ，ｌ］とｂ［ｉ＋１，ｌ］の間にあるラック座標ａ［ｊ，ｌ］の個数「ｋ」を全てのグリルについて求める。
【００２９】
ここで、図４〜６を用いて、ラックとグリルの位置関係について説明する。図４〜図６は、ラックとグリルの位置関係を説明するための図である。図４に示すように、「ｋ」＝「０」の場合には、グリル座標ｂ［ｉ，ｌ］とｂ［ｉ＋１，ｌ］の間にあるラック座標が存在しないことを示している。また、「ｋ」＝「１」の場合には、グリル座標ｂ［ｉ，ｌ］とｂ［ｉ＋１，ｌ］の間にあるラック座標の数が一つであることを示している。
【００３０】
図５に示す例では、グリルＢ［０，１]について、両端のグリル座標の間にあるラック座標の数が二つ以上あるので、「ｋ」≧「２」となる。また、グリルＢ［１，１]については、両端のグリル座標の間にあるラック座標の数が一つあるので、「ｋ」＝「１」となる。また、グリルＢ［２，１]について、両端のグリル座標の間にあるラック座標の数が二つ以上あるので、「ｋ」≧「２」となる。
【００３１】
また、同様に、図６に示す例では、グリルＢ［０，１]、グリルＢ［１，１]、グリルＢ［３，１]、グリルＢ［４，１]、グリルＢ［６，１]について、両端のグリル座標の間にあるラック座標の数が一つであるので、「ｋ」＝「１」となる。また、グリルＢ［２，１]、グリルＢ［５，１]について、両端のグリル座標の間にあるラック座標が存在しないので、「ｋ」＝「０」となる。
【００３２】
ここで、目標パネル風量算出部１３ａは、「ｋ」の値に応じて、目標グリルを算出するための計算式を選択し、目標グリル算出処理を行う。例えば、目標パネル風量算出部１３ａは、「ｋ」の値が「０」である場合には、下記（１）式を用いて、目標グリル風量ｙ［ｊ，ｌ］を算出する。
【００３３】
【数１】
2010270974.tif 000003
【００３４】
つまり、目標パネル風量算出部１３ａは、両端のラック座標（図４の例では、ａ［ＩＮＦ，ｌ］とａ［ＳＵＰ，ｌ］）間のラック幅に対するグリル座標（図４の例では、ｂ［ｉ，ｌ］とｂ［ｉ＋１，ｌ］）間のグリル幅の割合に応じて、目標グリル風量ｙ［ｊ，ｌ］を算出する。なお、ここで、Ｔｃとは、空調機の総風量情報であり、Ｔｒとは、ラックの総風量情報である。
【００３５】
ここで、図７の例を用いて具体的に説明する。両端のグリル座標がｂ［６，０］とｂ［５，０］のグリルの目標グリル風量であって、「ｋ」の値が「０」である場合の目標グリル風量算出方法について説明する。図７は、グリル風量の算出例を説明するための図である。同図に示すように、目標パネル風量算出部１３ａは、ラック座標ａ［４，０］とａ［３，０］間のラック幅「０．６ｍ」に対するグリル座標ｂ［６，０］とｂ［５，０］間のグリル幅「０．４ｍ」の割合を計算する。
【００３６】
また、総ラック風量１３０．３２ｍ３／ｍｉｎに対する総空調機風量２００ｍｍ３／ｍｉｎの割合を計算する。これらの割合をラック風量「１０．８６ｍ３／ｍｉｎ」に乗算して目標グリル風量「１０．６０ｍ３／ｍｉｎ」を算出する。
【００３７】
また、目標パネル風量算出部１３ａは、「ｋ」の値が「１」である場合には、下記（２）式を用いて、目標グリル風量ｙ［ｊ，ｌ］を算出する。ここで、目標パネル風量算出部１３ａは、両端のグリル座標の間にあるラック座標の条件である「ｂ［ｉ，ｌ］＜ａ［ｔ，ｌ］＜ｂ［ｉ＋１，ｌ］」に適合するラック座標を検索する。ここで、「ｋ」の値が「１」である場合には、ｔの値が一つであり、このｔについてＭＩＤ＝ｔとする。
【００３８】
【数２】
2010270974.tif 000004
【００３９】
つまり、目標パネル風量算出部１３ａは、両端のグリル座標（図４の例では、ｂ［ｉ，ｌ］とｂ［ｉ＋１，ｌ］）の間にあるラック座標（図４の例では、ａ［ＭＩＤ，ｌ］）に対応する二つのラックについて、ラック幅とグリル幅の割合をそれぞれ計算し、その割合の合計に応じて、目標グリル風量ｙ［ｊ，ｌ］を算出する。
【００４０】
ここで、図７の例を用いて具体的に説明する。両端のグリル座標がｂ［４，０］とｂ［５，０］のグリルの目標グリル風量であって、「ｋ」の値が「１」である場合の目標グリル風量算出方法について説明する。同図に示すように、目標パネル風量算出部１３ａは、両端のグリル座標ｂ［４，０］とｂ［５，０］）の間にあるラック座標ａ[３，０]に対応する二つのラックについて、ラック幅とグリル幅の割合がそれぞれ「０．２ｍ／０．６ｍ」、「０．２／０．６ｍ」となる。
【００４１】
そして、目標パネル風量算出部１３ａは、「０．２ｍ／０．６ｍ」、総ラック風量１３０．３２ｍ３／ｍｉｎに対する総空調機風量２００ｍ３／ｍｉｎの割合と、ラック風量「１０．８６ｍ３／ｍｉｎ」を乗算する。そして、目標パネル風量算出部１３ａは、「０．２ｍ／０．６ｍ」、総ラック風量１３０．３２ｍ３／ｍｉｎに対する総空調機風量２００ｍ３／ｍｉｎの割合と、ラック風量「２１．７２ｍ３／ｍｉｎ」を乗算する。そして、これら乗算された値を合計して、目標グリル風量「１６．３９ｍ３／ｍｉｎ」を算出する。
【００４２】
また、目標パネル風量算出部１３ａは、「ｋ」の値が「２」以上である場合には、下記（３）式を用いて、目標グリル風量ｙ［ｊ，ｌ］を算出する。ここで、目標パネル風量算出部１３ａは、両端のグリル座標の間にあるラック座標の条件である「ｂ［ｉ，ｌ］＜ａ［ｔ，ｌ］＜ｂ［ｉ＋１，ｌ］」に適合するラック座標を検索する。ここで、「ｋ」の値が「２」以上である場合には、ｔの値が二つ以上ある。このような場合には、ｔについて最大のものをＭＡＸ、最小のものをＭＩＮとする。
【００４３】
【数３】
2010270974.tif 000005
【００４４】
つまり、目標パネル風量算出部１３ａは、図４の例を用いて説明すると、両端のグリル座標ｂ［ｉ，ｌ］とｂ［ｉ＋１，ｌ］）の間にある最小のラック座標ａ［ＭＩＮ，ｌ］と最大のラック座標［ＭＡＸ，ｌ］を決定する。そして、目標パネル風量算出部１３ａは、最小のラック座標ａ［ＭＩＮ，ｌ］と隣接する座標ａ［ＭＩＮ−１，ｌ］に対応するラック幅と、グリル座標ｂ［ｉ，ｌ］とラック座標ａ［ＭＩＮ，ｌ］との間にある幅との割合をラック風量ｘ［ＭＩＮ―１，ｌ］に乗算する。
【００４５】
また、目標パネル風量算出部１３ａは、最大のラック座標ａ［ＭＡＸ，ｌ］と隣接する座標ａ［ＭＡＸ＋１，ｌ］に対応するラック幅と、グリル座標ｂ［ｉ＋１，ｌ］とラック座標ａ［ＭＡＸ，ｌ］との間にある幅との割合をラック風量ｘ［ＭＡＸ，ｌ］に乗算する。そして、目標パネル風量算出部１３ａは、乗算された二つの値とラック風量ｘ［ＭＡＸ，ｌ］〜ラック風量ｘ［ＭＡＸ−１，ｌ］とを合計してＴｃ／Ｔｒを乗算した目標グリル風量ｙ［ｊ，ｌ］を算出する。
【００４６】
このように、目標パネル風量算出部１３ａは、図８に例示するように、グリルごとに目標グリル風量を算出し、各グリルに対して設定する。図８は、各グリルの目標風量の例を示す図である。なお、図８は、空調機から送られた風が床下フロアからグリルを通過してラックに冷気供給するデータセンタの上面図である。
【００４７】
シミュレーション部１３ｂは、所定のグリル開口率を設定し、所定のグリル開口率情報を用いてシミュレーションを行う。そして、シミュレーション部１３ｂは、シミュレーションの結果でグリルからラックに送風される風量であるシミュレーション風量を算出する。また、シミュレーション部１３ｂは、後述する設定パネル開口率算出部１３ｄによって算出されたグリル開口率を用いてシミュレーションを改めて行い、シミュレーションの結果でグリルを通過する風量であるシミュレーション風量を算出する。
【００４８】
具体的には、シミュレーション部１３ｂは、初期グリル開口率記憶部１４ａに記憶されたグリル開口率を初期値として設定し、シミュレーションを実施して、シミュレーション結果であるグリル風量を算出する。そして、シミュレーション部１３ｂは、下記（４）式に示すように、シミュレーション結果であるグリル風量を用いて、圧力損失ΔＰを計算する。
【００４９】
【数４】
2010270974.tif 000006
【００５０】
ここで、「Ｏ［ｊ，ｌ］」は、グリルＢ［ｊ，ｌ］で風量ｙ［ｊ，ｌ］が出ているときのグリル開口率であり、「ｒ」は、空気密度であり、「Ｓ」は、グリル面積であり、Ｋ（Ｏ）は、抵抗係数であってグリル開口率Ｏに依存して決まる関数である。なお、多孔板の場合には、抵抗係数は、下記（５）式によってもとめられる。
【００５１】
【数５】
2010270974.tif 000007
【００５２】
また、シミュレーション部１３ｂは、次回のシミュレーションに使用するグリル開口率Ｏを設定パネル開口率算出部１３ｄから受信した場合には、受信したグリル開口率を用いてシミュレーションを改めて行う。
【００５３】
風量判定部１３ｃは、目標グリル風量と、算出されたシミュレーション風量との差分が所定の閾値以上であるか判定する。具体的には、風量判定部１３ｃは、目標パネル風量算出部１３ａによって算出された目標グリル風量と、シミュレーション部１３ｂによって算出されたシミュレーション風量とを比較し、シミュレーション風量と目標グリル風量との差分が所定の閾値以上であるか判定する。
【００５４】
例えば、風量判定部１３ｃは、シミュレーション風量と目標グリル風量との差分が所定の閾値以上であるか判定する処理として、下記（６）式を用いて、目標グリル風量とシミュレーション風量の誤差平均を計算し、計算された値が所定の閾値以上であるか判定する。
【００５５】
【数６】
2010270974.tif 000008
【００５６】
その結果、風量判定部１３ｃは、目標グリル風量とシミュレーション風量との差分が所定の閾値以上である場合には、改めてシミュレーションする旨を設定パネル開口率算出部１３ｄに通知する。また、風量判定部１３ｃは、目標グリル風量とシミュレーション風量との差分が閾値未満であると判定された場合には、グリル開口率情報を算出する旨の指示をパネル開口率算出部１３ｅに通知する。
【００５７】
設定パネル開口率算出部１３ｄは、目標グリル風量とシミュレーション風量との差分が所定の閾値以上であると判定された場合には、目標グリル風量情報とシミュレーション風量情報とを用いて、次のシミュレーションに設定するグリル開口率情報を算出する。つまり、設定パネル開口率算出部１３ｄは、風量判定部１３ｃから改めてシミュレーションする旨の通知を受信した場合には、下記（７）式を用いて、次回のシミュレーションに使用するグリル開口率Ｏを算出し、シミュレーション部１３ｂに通知する。具体的には、（７）式にシミュレーションで設定したグリル開口率情報とシミュレーション結果のシミュレーション風量情報、目標グリル風量を代入して次のシミュレーションに設定するグリル開口率情報を算出する。ここで、「Ｏ［ｊ，ｌ］」は、グリルＢ［ｊ，ｌ］で風量ｙ［ｊ，ｌ］が出ているときのグリル開口率であり、風量ｙ~［ｊ，ｌ］は目標グリル風量、「Ｏ~［ｊ，ｌ］」が次のシミュレーションで設定するグリル開口率である。
【００５８】
【数７】
2010270974.tif 000009
【００５９】
つまり、設定パネル開口率算出部１３ｄは、シミュレーション風量と目標グリル風量、現状のグリル開口率を変数とした計算式を用いて、目標グリル風量を達成するためのグリル開口率を算出する。
【００６０】
ここで、図９を用いて、シミュレーションを繰り返し行い、シミュレーション風量を目標グリル風量に近づける処理を説明する。図９は、グリル開口率を変更してシミュレーションを繰り返し行い、シミュレーション風量を目標グリル風量に近づける様子を示す図である。同図に示すように、図９では、シミュレーション部１３ｂは、初期グリル開口率記憶部１４ａに記憶されたグリル開口率の初期値（図９の例では、グリル開口率５５．３％）を設定し、１回目のシミュレーションを実施する。
【００６１】
そして、シミュレーション部１３ｂは、シミュレーションの結果、シミュレーション風量（図９の例では、シミュレーション値と記載）を算出する。例えば、シミュレーション部１３ｂは、グリルＥ７のシミュレーション風量として、「８．７６ｍ３／ｍｉｎ」を算出する。
【００６２】
続いて、設定パネル開口率算出部１３ｄは、シミュレーション風量と目標グリル風量、現状のグリル開口率を上記（７）式に代入して、次のシミュレーションに用いられるグリル開口率を算出する。例えば、設定パネル開口率算出部１３ｄは、グリルＥ７の次シミュレーションに用いられるグリル開口率として、「０．６５」を算出する。
【００６３】
パネル開口率算出部１３ｅは、目標グリル風量情報とシミュレーション風量情報との差分を用いて、目標グリル開口率を算出する。具体的には、パネル開口率算出部１３ｅは、風量判定部１３ｃからグリル開口率情報を算出する旨の指示を受け付けると、シミュレーション用に設定されたグリル開口率情報を目標開口率情報として出力する。
【００６４】
その後、シミュレーション部１３ｂは、シミュレーションを繰り返し行い、グリル開口率を最適化して、シミュレーション風量を目標グリル風量に近づける。図９における下段グラフが示すように、シミュレーションを繰り返すごとに、シミュレーション風量を目標グリル風量に近づけることができる。
【００６５】
そして、パネル開口率算出部１３ｅは、４回目のシミュレーションにおいて、目標グリル風量とシミュレーション風量との差分が閾値未満になった場合には、シミュレーション４回目に使用されたグリル開口率を目標開口率として出力する。例えば、パネル開口率算出部１３ｅは、Ｅ７の目標開口率として、「０．７４」を出力する。
【００６６】
［パネル開口率算出装置による処理］
次に、図１０〜図１２を用いて、実施例１に係るパネル開口率算出装置１０による処理を説明する。図１０は、実施例２に係るパネル開口率算出装置の全体の処理手順を説明するためのフローチャートである。図１１は、実施例２に係るパネル開口率算出装置の目標グリル算出処理の手順を説明するためのフローチャートである。図１２は、実施例２に係るパネル開口率算出装置の目標グリル風量達成判定処理の手順を説明するためのフローチャートである。
【００６７】
図１０に示すように、パネル開口率算出装置１０は、ラックの熱量情報などを入力し（ステップＳ１０１）、グリルを通って送風されるラックを冷却するための冷却風について、ラックの冷却に必要な風量である目標グリル風量を算出する処理（後に図１１を用いて詳述）を行う（ステップＳ１０２）。
【００６８】
そして、パネル開口率算出装置１０は、初期グリル開口率記憶部１４ａに記憶されたグリル開口率を初期値として設定し（ステップＳ１０３）、シミュレーションを実施する（ステップＳ１０４）。そして、パネル開口率算出装置１０は、シミュレーション結果であるシミュレーション風量と目標グリル風量との差分が所定の閾値以上であるか判定する目標グリル風量達成の判定処理（後に図１２を用いて詳述）を行い（ステップＳ１０５）、シミュレーション処理を終了するか判断する（ステップＳ１０６）。
【００６９】
この結果、パネル開口率算出装置１０は、シミュレーション風量と目標グリル風量との差分が所定の閾値未満であり、シミュレーション処理を続行すると判断した場合には（ステップＳ１０６否定）、シミュレーション風量、目標グリル風量、現状のグリル開口率を変数とした計算式を用いて、目標グリル風量を達成するためのグリル開口率を算出する（ステップＳ１０７）。そして、パネル開口率算出装置１０は、算出したグリル開口率を用いてシミュレーションを改めて行う（ステップＳ１０４）。
【００７０】
また、パネル開口率算出装置１０は、シミュレーション結果であるシミュレーション風量と目標グリル風量との差分が所定の閾値以上であり、シミュレーション処理を終了すると判定した場合には（ステップＳ１０６肯定）、シミュレーション用に使用されたグリル開口率情報を目標開口率情報として出力する（ステップＳ１０８）。
【００７１】
続いて、図１１を用いて、パネル開口率算出装置１０の目標グリル算出処理を説明する。同図に示すように、パネル開口率算出装置１０の目標パネル風量算出部１３ａは、ラック座標、グリル座標、ラック風量を入力し（ステップＳ２０１）、初期化処理として、ｉ＝０、ｋ＝０と設定する（ステップＳ２０２）。
【００７２】
そして、目標パネル風量算出部１３ａは、「ｉ」の値が全ラック数「ｍ」から「２」を減算した値「ｍ−２」以下であるか判定する（ステップＳ２０３）。つまり、目標パネル風量算出部１３ａは、「ｉ」が「ｍ−２」を超えている場合には（ステップＳ２０３否定）、全てのグリルについて「ｋ」を求める処理を行ったとして処理を終了する。
【００７３】
また、目標パネル風量算出部１３ａは、「ｉ」が「ｍ−２」以下である場合には、ＬＯＷ＝ｂ［ｉ，ｌ］、ＨＩＧＨ＝ｂ［ｉ＋１，ｌ］と設定し（ステップＳ２０４）、ｊ＝０と設定する（ステップＳ２０５）。そして、目標パネル風量算出部１３ａは、「ｊ」の値が全グリル数「ｎ」から「２」を減算した値「ｎ−２」以下であるか判定する（ステップＳ２０６）。
【００７４】
この結果、目標パネル風量算出部１３ａは、「ｊ」が「ｎ−２」以下である場合には（ステップＳ２０６肯定）、ＬＯＷ≦ａ［ｊ，ｌ］≦ＨＩＧＨであるか判定する（ステップＳ２０７）。つまり、目標パネル風量算出部１３ａは、ラック座標ａ［ｊ，ｌ］がＬＯＷ＝ｂ［ｉ，ｌ］とＨＩＧＨ＝ｂ［ｉ＋１，ｌ］の間にあるか判断する。
【００７５】
この結果、目標パネル風量算出部１３ａは、ＬＯＷ≦ａ［ｊ，ｌ］≦ＨＩＧＨである場合には（ステップＳ２０７肯定）、「ｋ」の値を加算し（ステップＳ２０８）、「ｊ」の値を加算して（ステップＳ２０９）、ＬＯＷ≦ａ［ｊ，ｌ］≦ＨＩＧＨであるか判定する処理を繰り返す（ステップＳ２０６〜ステップＳ２０９）。
【００７６】
また、目標パネル風量算出部１３ａは、「ｊ」が「ｎ−２」を超えた場合には（ステップＳ２０６否定）、一つのグリルについて、対応するラックの個数「ｋ」を求める処理を行ったとして、目標グリル算出処理を行う。
【００７７】
目標パネル風量算出部１３ａは、「ｋ」＝「０」であるか判定し（ステップＳ２１０）、「ｋ」＝「０」であると判定された場合には（ステップＳ２１０肯定）、ａ［ｔ，ｌ］＜ｂ［ｉ，ｌ］となるｔについての最大の数であるＩＮＦおよびａ［ｔ，ｌ］＞ｂ［ｉ，ｌ］となるｔについての最小の数であるＳＵＰを設定する（ステップＳ２１１）。そして、目標パネル風量算出部１３ａは、上記した（１）式を用いて、両端のラック座標間のラック幅に対するグリル座標間のグリル幅の割合に応じた目標グリル風量ｙ［ｊ，ｌ］を算出する（ステップＳ２１２）。
【００７８】
また、目標パネル風量算出部１３ａは、「ｋ」＝「０」でないと判定された場合には（ステップＳ２１０否定）、「ｋ」＝「１」であるか判定する（ステップＳ２１３）。そして、目標パネル風量算出部１３ａは、両端のグリル座標の間にあるラック座標の条件である「ｂ［ｉ，ｌ］＜ａ［ｔ，ｌ］＜ｂ［ｉ＋１，ｌ］」に適合するラック座標ａ［ｔ，ｌ］を検索し、ｔの値をＭＩＤとして設定する（ステップＳ２１４）。その後、目標パネル風量算出部１３ａは、上記した（２）式を用いて、目標グリル風量ｙ［ｊ，ｌ］を算出する（ステップＳ２１５）。
【００７９】
また、目標パネル風量算出部１３ａは、「ｋ」＝「１」でないと判定された場合には（ステップＳ２１３否定）、「ｋ」≧「２」であると判定する（ステップＳ２１６）。そして、目標パネル風量算出部１３ａは、ｔについて最大のものをＭＡＸ、最小のものをＭＩＮと設定する（ステップＳ２１７）。その後、目標パネル風量算出部１３ａは、上記した（３）式を用いて、目標グリル風量ｙ［ｊ，ｌ］を算出する（ステップＳ２１８）。
【００８０】
その後、目標パネル風量算出部１３ａは、目標グリル風量ｙ［ｊ，ｌ］を出力し（ステップＳ２１９）、ｉの値を加算して、ステップＳ２０３に戻る。ここで、ステップＳ２０３において、目標パネル風量算出部１３ａは、「ｉ」が「ｍ−２」を超えている場合には（ステップＳ２０３否定）、全てのグリルについて「ｋ」を求める処理を行ったとして処理を終了する。以上の操作を全ての列ｌ（０≦ｌ≦Ｌ−１）について繰り返し行う。ここでＬはラック列の総数である。
【００８１】
続いて、図１２を用いて、目標グリル風量達成判定処理を説明する。同図に示すように、パネル開口率算出装置１０のシミュレーション部１３ｂは、Ｎ回目のシミュレーションを実施した後（ステップＳ３０１）、シミュレーション結果のグリルからラックに送風される風量であるシミュレーション風量を出力する（ステップＳ３０２）。
【００８２】
そして、風量判定部１３ｃは、目標パネル風量と、シミュレーション風量とを比較し、シミュレーション風量と目標グリル風量との差分が所定の閾値以上であるか判定する（ステップＳ３０３）。
【００８３】
この結果、目標グリル風量とシミュレーションパネル風量との差分が所定の閾値以上である場合には（ステップＳ３０３肯定）、シミュレーション部１３ｂは、次回のシミュレーションに使用するグリル開口率を設定し、Ｎの値に「１」加算して（ステップＳ３０４）、Ｓ３０１に戻る。また、目標グリル風量とシミュレーションパネル風量との差分が閾値未満であると判定された場合には、目標グリル風量達成判定処理を終了する。
【００８４】
[実施例１の効果]
上述してきたように、パネル開口率算出装置１０は、パネルを通って送風されるラックを冷却するための冷却風について、ラックの冷却に必要な風量である目標パネル風量情報を算出する。また、パネル開口率算出装置１０は、所定のパネル開口率を設定し、所定のパネル開口率情報を用いてシミュレーションを行い、シミュレーションの結果として、パネルからラックに送風される風量であるシミュレーションパネル風量情報を算出する。そして、パネル開口率算出装置１０は、目標パネル風量情報と、シミュレーションパネル風量情報との差分を用いて、目標パネル開口率を算出する。
【００８５】
このため、パネル開口率算出装置１０は、最適なグリル開口率を算出し、グリル配置やグリル開口率等のレイアウトを最適化することで、ラックに対して適切に冷却風を分配する結果、効率的にラックを冷却することが可能である。
【００８６】
ここで、図１３および図１４を用いて、グリル配置やグリル開口率等のレイアウトを最適化した場合におけるラックの温度について説明する。図１３は、グリル開口率の改善を行っていない場合の空調システムにおけるラックの温度を示す図であり、また、図１４は、グリル開口率の改善を行っている場合の空調システムにおけるラックの温度を示す図である。図１３および図１４において例示する空調システムでは、吹き出し温度および風量が同じであるが、図１３のラックよりも図１４のラックの方が温度が低く、効率的にラックが冷却されている。具体的には、図１５に例示するように、改善前のラックよりも目標値グリル風量達成時のラックの方が温度が低く、効率的にラックが冷却されている。
【００８７】
また、実施例１によれば、パネル開口率算出装置１０は、目標パネル風量情報と、シミュレーションパネル風量情報との差分が所定の閾値以上であるか判定する。そして、パネル開口率算出装置１０は、目標パネル風量情報とシミュレーションパネル風量情報との差分が所定の閾値以上であると判定された場合には、目標パネル風量情報とシミュレーションパネル風量情報とを用いて、次のシミュレーションに設定されるパネル開口率情報を算出する。その後、パネル開口率算出装置１０は、算出された前記パネル開口率を用いてシミュレーションを改めて行い、シミュレーションの結果でパネルからラックに送風される風量であるシミュレーションパネル風量情報を算出し、算出された目標パネル風量情報とシミュレーションパネル風量情報との差分が所定の閾値未満であると判定された場合には、設定されたパネル開口率情報を目標開口率情報として算出する。
【００８８】
このため、パネル開口率算出装置１０は、シミュレーションパネル風量が目標パネル風量に近づくまでシミュレーションを繰り返し行い、より適切なグリル開口率を算出する。この結果、グリル配置やグリル開口率等のレイアウトを最適化することで、ラックに対して適切に冷却風を分配する結果、効率的にラックを冷却することが可能である。
【００８９】
また、実施例１によれば、パネル開口率算出装置１０は、ラックの配置に関する情報、パネルの配置に関する情報、ラックごとの風量に関する情報、ラックごとの発熱量に関する情報、ラックの総風量に関する情報、ラックの総発熱量に関する情報、ラックの総発熱量に関する情報（または空調機の総風量情報）などを用いて、目標パネル風量を算出する。このため、適切な目標パネル風量を算出することが可能である。
【００９０】
また、実施例１によれば、パネル開口率算出装置１０は、ラック幅に対するグリル幅の割合に応じて、目標グリル風量を算出するので、ラックの配置、ラックの大きさ、グリルの配置およびグリルの大きさに応じて、適切な目標パネル風量を算出することが可能である。
【実施例３】
【００９１】
さて、これまで本発明の実施例について説明したが、本発明は上述した実施例以外にも、種々の異なる形態にて実施されてよいものである。そこで、以下では実施例３として本発明に含まれる他の実施例を説明する。
【００９２】
（１）シミュレーション処理終了条件
上記の実施例２では、目標パネル風量と、シミュレーション風量とを比較し、シミュレーション風量と目標グリル風量との差分が所定の閾値以内である場合にシミュレーション処理終了する場合を説明したが、本実施例はこれに限定されるものではない。
【００９３】
例えば、パネル開口率算出装置１０は、シミュレーション結果であるグリル風量を用いて算出される圧力損失と、前回のシミュレーションであるグリル風量を用いて算出された圧力損失との差分が所定の閾値以内である場合にシミュレーション処理終了するようにしてもよい。
【００９４】
また、パネル開口率算出装置１０は、シミュレーションに使用されたグリル開口率と、前回のシミュレーションに使用されたグリル開口率との差分が所定の閾値以内である場合にシミュレーション処理終了するようにしてもよい。
【００９５】
このように、パネル開口率算出装置１０は、目標パネル風量情報を用いて算出される圧力損失とシミュレーションパネル風量情報を用いて算出される圧力損失との差分が所定の閾値以上であると判定された場合には、目標パネル風量情報とシミュレーションパネル風量情報とを用いて、次のシミュレーションに設定されるパネル開口率情報を算出する。このため、圧力損失が適切な値になるまでシミュレーションを繰り返し行い、より適切なグリル開口率を算出することが可能である。
【００９６】
このように、パネル開口率算出装置１０は、シミュレーションに使用されたパネル開口率と、前回のシミュレーションに使用されたパネル開口率との差分が所定の閾値以内である場合には、目標パネル風量情報とシミュレーションパネル風量情報とを用いて、次のシミュレーションに設定されるパネル開口率情報を算出する。このため、パネル開口率の変化が少なくなるまでシミュレーションを繰り返し、より適切なグリル開口率を算出することが可能である。
【００９７】
（２）目標グリル風量算出
また、目標グリル風量を算出する場合に、グリルの位置やラックの位置を考慮して算出するようにしてもよい。例えば、ラック列の四隅にあるラックについては、排気回り込みが起きやすいので、目標グリル風量が多くなるにしてもよい。
【００９８】
このように、グリルの位置やラックの位置を考慮して目標グリル風量を算出するので、適切な目標グリル風量を算出することが可能である。
【００９９】
（３）システム構成等
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。例えば、目標パネル風量算出部１３ａとシミュレーション部１３ｂを統合してもよい。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【０１００】
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【０１０１】
（４）プログラム
ところで、上記の実施例で説明した各種の処理は、あらかじめ用意されたプログラムをコンピュータで実行することによって実現することができる。そこで、以下では、図１６を用いて、上記の実施例と同様の機能を有するプログラムを実行するコンピュータの一例を説明する。図１６は、パネル開口率算出プログラムを実行するコンピュータを示す図である。
【０１０２】
同図に示すように、パネル開口率算出装置としてのコンピュータ６００は、ＨＤＤ６１０、ＲＡＭ６２０、ＲＯＭ６３０およびＣＰＵ６４０をバス６５０で接続して構成される。
【０１０３】
そして、ＲＯＭ６３０には、上記の実施例と同様の機能を発揮するパネル開口率算出プログラム、つまり、図１６に示すように、目標パネル風量算出プログラム６３１、シミュレーションプログラム６３２、風量判定プログラム６３３、設定パネル開口率算出プログラム６３４およびパネル開口率算出プログラム６３５が予め記憶されている。なお、プログラム６３１〜６３５については、図２に示したパネル開口率算出装置１０の各構成要素と同様、適宜統合または分散してもよい。
【０１０４】
そして、ＣＰＵ６４０が、これらのプログラム６３１〜６３５をＲＯＭ６３０から読み出して実行することで、図１６に示すように、各プログラム６３１〜６３５は、目標パネル風量算出プロセス６４１、シミュレーションプロセス６４２、風量判定プロセス６４３、設定パネル開口率算出プロセス６４４およびパネル開口率算出プロセス６４５として機能するようになる。各プロセス６４１〜６４５は、図２に示した目標パネル風量算出部１３ａ、シミュレーション部１３ｂ、風量判定部１３ｃ、設定パネル開口率算出部１３ｄ、パネル開口率算出部１３ｅにそれぞれ対応する。
【０１０５】
また、ＨＤＤ６１０には、図１６に示すように、初期グリル開口率データ６１１が設けられる。なお、初期グリル開口率データ６１１は、図２に示した初期グリル開口率記憶部１４ａに対応する。
【０１０６】
以上の実施例１〜３を含む実施形態に関し、更に以下の付記を開示する。
【０１０７】
（付記１）パネルを通って送風されるラックを冷却するための冷却風について、当該ラックの冷却に必要な風量である目標パネル風量情報を算出する目標パネル風量算出部と、
所定のパネル開口率を設定し、当該所定のパネル開口率情報を用いてシミュレーションを実行することにより、パネルからラックに送風される風量であるシミュレーションパネル風量情報を算出するシミュレーション部と、
前記目標パネル風量算出部によって算出された前記目標パネル風量情報と、前記シミュレーション部によって算出された前記シミュレーションパネル風量情報との差分を用いて、目標パネル開口率を算出するパネル開口率算出部と、
を備えることを特徴とするパネル開口率算出装置。
【０１０８】
（付記２）前記目標パネル風量算出部によって算出された前記目標パネル風量情報と、前記シミュレーション部によって算出された前記シミュレーションパネル風量情報との差分が所定の閾値以上であるか判定する風量判定部と、
前記風量判定部によって算出された前記目標パネル風量情報と前記シミュレーションパネル風量情報との差分が所定の閾値以上であると判定された場合には、前記目標パネル風量情報と前記シミュレーションパネル風量情報とを用いて、次のシミュレーションに設定されるパネル開口率情報を算出する設定パネル開口率算出部とをさらに備え、
前記シミュレーション部は、前記設定パネル開口率算出部によって算出された前記パネル開口率を用いてシミュレーションを改めて行い、当該シミュレーションの結果でパネルからラックに送風される風量であるシミュレーションパネル風量情報を算出し、
前記パネル開口率算出部は、前記風量判定部によって算出された前記目標パネル風量情報と前記シミュレーションパネル風量情報との差分が所定の閾値未満であると判定された場合には、前記シミュレーション部によって設定されたパネル開口率情報を目標開口率情報として算出することを特徴とする付記１に記載のパネル開口率算出装置。
【０１０９】
（付記３）前記目標パネル風量情報を用いて算出される圧力損失と、前記シミュレーションパネル風量情報を用いて算出される圧力損失との差分が所定の閾値以上であるか判定する風量判定部と、
前記目標パネル風量情報を用いて算出される圧力損失と、前記シミュレーションパネル風量情報を用いて算出される圧力損失との差分が所定の閾値以上であると判定された場合には、前記目標パネル風量情報と前記シミュレーションパネル風量情報とを用いて、次のシミュレーションに設定されるパネル開口率情報を算出する設定パネル開口率算出部とをさらに備え、
前記シミュレーション部は、前記設定パネル開口率算出部によって算出された前記パネル開口率を用いてシミュレーションを改めて行い、当該シミュレーションの結果でパネルからラックに送風される風量であるシミュレーションパネル風量情報を算出し、
前記パネル開口率算出部は、前記風量判定部によって算出された前記目標パネル風量情報と前記シミュレーションパネル風量情報との差分が所定の閾値未満であると判定された場合には、前記シミュレーション部によって設定されたパネル開口率情報を目標開口率情報として算出することを特徴とする付記１に記載のパネル開口率算出装置。
【０１１０】
（付記４）前記シミュレーションに使用されたパネル開口率と、前回のシミュレーションに使用されたパネル開口率との差分が所定の閾値以内であるか判定する風量判定部と、
前記シミュレーションに使用されたパネル開口率と、前回のシミュレーションに使用されたパネル開口率との差分が所定の閾値以内である場合には、前記目標パネル風量情報と前記シミュレーションパネル風量情報とを用いて、次のシミュレーションに設定されるパネル開口率情報を算出する設定パネル開口率算出部とをさらに備え、
前記シミュレーション部は、前記設定パネル開口率算出部によって算出された前記パネル開口率を用いてシミュレーションを改めて行い、当該シミュレーションの結果でパネルからラックに送風される風量であるシミュレーションパネル風量情報を算出し、
前記パネル開口率算出部は、前記風量判定部によって算出された前記目標パネル風量情報と前記シミュレーションパネル風量情報との差分が所定の閾値未満であると判定された場合には、前記シミュレーション部によって設定されたパネル開口率情報を目標開口率情報として算出することを特徴とする付記１に記載のパネル開口率算出装置。
【０１１１】
（付記５）前記目標パネル風量算出部は、ラックの配置に関する情報、パネルの配置に関する情報、ラックごとの風量に関する情報、ラックごとの発熱量に関する情報、ラックの総風量に関する情報、ラックの総発熱量に関する情報、または空調機の総風量に関する情報を用いて目標パネル風量を算出することを特徴とする付記１〜４のいずれか一つに記載のパネル開口率算出装置。
【０１１２】
（付記６）前記目標パネル風量算出部は、ラック幅に対するパネル幅の割合に応じて、前記目標パネル風量を算出することを特徴とする付記１〜５のいずれか一つに記載のパネル開口率算出装置。
【０１１３】
（付記７）前記設定パネル開口率算出部は、前記パネルの圧力損失を用いて、次回のシミュレーションに設定されるパネル開口率を算出することを特徴とする付記２〜６のいずれか一つに記載のパネル開口率算出装置。
【０１１４】
（付記８）パネルを通って送風されるラックを冷却するための冷却風について、当該ラックの冷却に必要な風量である目標パネル風量情報を算出する目標パネル風量算出ステップと、
所定のパネル開口率を設定し、当該所定のパネル開口率情報を用いてシミュレーションを実行することにより、パネルからラックに送風される風量であるシミュレーションパネル風量情報を算出するシミュレーションステップと、
前記目標パネル風量算出ステップによって算出された前記目標パネル風量情報と、前記シミュレーションステップによって算出された前記シミュレーションパネル風量情報との差分を用いて、目標パネル開口率を算出するパネル開口率算出ステップと、
を含んだことを特徴とするパネル開口率算出方法。
【０１１５】
（付記９）パネルを通って送風されるラックを冷却するための冷却風について、当該ラックの冷却に必要な風量である目標パネル風量情報を算出する目標パネル風量算出手順と、
所定のパネル開口率を設定し、当該所定のパネル開口率情報を用いてシミュレーションを実行することにより、パネルからラックに送風される風量であるシミュレーションパネル風量情報を算出するシミュレーション手順と、
前記目標パネル風量算出手順によって算出された前記目標パネル風量情報と、前記シミュレーション手順によって算出された前記シミュレーションパネル風量情報との差分を用いて、目標パネル開口率を算出するパネル開口率算出手順と、
をコンピュータに実行させることを特徴とするパネル開口率算出プログラム。
【符号の説明】
【０１１６】
１０  パネル開口率算出装置
１１  入力部
１２  出力部
１３  制御部
１３ａ  目標パネル風量算出部
１３ｂ  シミュレーション部
１３ｃ  風量判定部
１３ｄ  設定パネル開口率算出部
１３ｅ  パネル開口率算出部
１４  記憶部
１４ａ  初期グリル開口率記憶部
【図１】
2010270974.tif 000010
【図２】
2010270974.tif 000011
【図３】
2010270974.tif 000012
【図４】
2010270974.tif 000013
【図５】
2010270974.tif 000014
【図６】
2010270974.tif 000015
【図７】
2010270974.tif 000016
【図８】
2010270974.tif 000017
【図９】
2010270974.tif 000018
【図１０】
2010270974.tif 000019
【図１１】
2010270974.tif 000020
【図１２】
2010270974.tif 000021
【図１３】
2010270974.tif 000022
【図１４】
2010270974.tif 000023
【図１５】
2010270974.tif 000024
【図１６】
2010270974.tif 000025
【図１７】
2010270974.tif 000026